(57)【特許請求の範囲】
【請求項１】
和音を構成する２つの楽音の一方の楽音である標準楽音を平均律によるピッチでスピーカから出力し、前記標準楽音の音を聴きながら他方の楽音のピッチを純正調音律によって調律する単音出力型の調律器であって、
調律する入力楽音の音階音名を入力する楽音名入力操作部と、
前記音階音名の音階音と前記標準楽音とのインターバルを入力するインターバル入力操作部と、
前記楽音名入力操作部から入力された音階音名と前記インターバル入力操作部から入力されたインターバルとに基づき前記標準楽音の音階音名を決定する標準楽音決定部と、
前記標準楽音決定部で決定された音階音名の標準楽音のピッチを平均律で決定し、前記決定した平均律による標準楽音のピッチと前記インターバル入力操作部から入力されたインターバルの純正調音律によるピッチとから前記入力された音階音名の音階音に対する基準ピッチを演算する楽音ピッチ演算決定部と、
前記標準楽音決定部で決定された標準楽音の音階音名と前記楽音ピッチ演算決定部で決定された標準楽音の平均律によるピッチとに基づき当該標準楽音の楽音信号を発生し、前記スピーカから当該標準楽音を出力する標準楽音発生・出力部と、
調律すべく演奏等により入力された前記入力楽音の周波数と前記楽音ピッチ演算決定部で決定された基準ピッチとのピッチ誤差を求めるピッチ誤差計算部と、
前記ピッチ誤差計算部で求められたピッチ誤差を表示するピッチ誤差表示部と
を備えることを特徴とする調律器。
【請求項２】
和音を構成する２つの楽音の一方の楽音である標準楽音を平均律によるピッチでスピーカから出力し、前記標準楽音の音を聴きながら他方の楽音のピッチを純正調音律によって調律する単音出力型の調律器であって、
調律する入力楽音と前記標準楽音とのインターバルを入力するインターバル入力操作部と、
調律すべく演奏等により入力された前記入力楽音の周波数を測定する周波数測定部と、
前記周波数測定部で測定された入力楽音の周波数からその入力楽音の音階音名を判別する入力音階音名判別部と、
前記入力音階音名判別部で判別された音階音名と前記インターバル入力操作部から入力されたインターバルとに基づき前記標準楽音の音階音名を決定する標準楽音決定部と、
前記標準楽音決定部で決定された音階音名の標準楽音のピッチを平均律で決定し、前記決定した平均律による標準楽音のピッチと前記インターバル入力操作部から入力されたインターバルの純正調音律によるピッチとから前記判別された音階音名の音階音に対する基準ピッチを演算する楽音ピッチ演算決定部と、
前記標準楽音決定部で決定された標準楽音の音階音名と前記楽音ピッチ演算決定部で決定された標準楽音の平均律によるピッチとに基づき当該標準楽音の楽音信号を発生し、前記スピーカから当該標準楽音を出力する標準楽音発生・出力部と、
前記周波数測定部で測定された入力楽音の周波数と前記楽音ピッチ演算決定部で決定された基準ピッチとのピッチ誤差を求めるピッチ誤差計算部と、
前記ピッチ誤差計算部で求められたピッチ誤差を表示するピッチ誤差表示部と
を備えることを特徴とする調律器。
【請求項３】
請求項１または請求項２に記載の調律器において、
平均律の設定を標準楽音と入力楽音の何れに行うかを指定する平均律指定入力操作部を備え、
前記楽音ピッチ演算決定部は、前記平均律指定入力操作部が、標準楽音を指定しているとき、前記標準楽音決定部で決定された音階音名の標準楽音のピッチを平均律で決定し、前記決定した平均律による標準楽音のピッチと前記インターバル入力操作部から入力されたインターバルの純正調音律によるピッチとから前記楽音名入力操作部から入力された音階音名または前記入力音階音名判別部で判別された音階音名の音階音に対する基準ピッチを演算する一方、前記平均律指定入力操作部が、入力楽音を指定しているとき、前記楽音名入力操作部から入力された音階音名または前記入力音階音名判別部で判別された音階音名の音階音に対する基準ピッチを平均律で決定し、前記決定した平均律による基準ピッチと前記インターバルの純正調音律によるピッチとから前記標準楽音決定部で決定され音階音名の標準楽音のピッチを演算することを特徴とする調律器。
【請求項４】
請求項１または請求項２に記載の調律器において、
純正調音律、ピタゴラス音律、ミーントーン音律、平均律等の各種の音律を選択指定する音律指定入力操作部を備え、
前記楽音ピッチ演算決定部は、前記標準楽音決定部で決定された音階音名の標準楽音のピッチを平均律で決定し、前記決定した平均律による標準楽音のピッチと前記インターバル入力操作部から入力されたインターバルの前記音律指定入力操作部から指定された音律によるピッチとから前記楽音名入力操作部から入力された音階音名または前記入力音階音名判別部で判別された音階音名の音階音に対する基準ピッチを演算することを特徴とする調律器。
【請求項５】
請求項４に記載の調律器において、
平均律の設定を標準楽音と入力楽音の何れに行うかを指定する平均律指定入力操作部を備え、
前記楽音ピッチ演算決定部は、前記平均律指定入力操作部が、標準楽音を指定しているとき、前記標準楽音決定部で決定された音階音名の標準楽音のピッチを平均律で決定し、前記決定した平均律による標準楽音のピッチと前記インターバル入力操作部から入力されたインターバルの前記音律指定入力操作部から指定された音律によるピッチとから前記楽音名入力操作部から入力された音階音名または前記入力音階音名判別部で判別された音階音名の音階音に対する基準ピッチを演算する一方、前記平均律指定入力操作部が、入力楽音を指定しているとき、前記楽音名入力操作部から入力された音階音名または前記入力音階音名判別部で判別された音階音名の音階音に対する基準ピッチを平均律で決定し、前記決定した平均律による基準ピッチと前記インターバル入力操作部から入力されたインターバルの前記音律指定入力操作部から指定された音律によるピッチとから前記標準楽音決定部で決定された音階音名の標準楽音のピッチを演算することを特徴とする調律器。
【請求項６】
和音を構成する各楽音のうち指定した１つの楽音以外の楽音をスピーカから出力し、それらの楽音による和音の響きを聴きながら前記指定した１つの楽音である入力楽音のピッチを調律する和音出力型の調律器であって、
調名を指定入力する調名入力操作部と、
和音の種類を指定入力する和音入力操作部と、
前記指定した和音の根音が前記指定した調名の音階上の第何度であるかを示す度を指定入力する度入力操作部と、
調律する入力楽音が前記指定した和音の第何音であるかという調律音位置を指定入力する調律音位置入力操作部と、
指定された前記調名、和音及び度に基づき前記和音を構成する各音階音の音階音名を決定して出力するとともに、決定した各音階音名のうち指定された前記調律音位置の音階音名以外の音階音名を標準楽音の音階音名として出力する音階音決定部と、
前記音階音決定部で決定された各音階音のうち根音のピッチを平均律で決定し、その他の音階音のピッチを純正調音律で決定し、そのうち指定された前記調律音位置の音階音のピッチを基準ピッチとし、その他の音階音のピッチを標準楽音のピッチとしてそれぞれ出力する楽音ピッチ演算決定部と、
前記音階音決定部で決定された標準楽音の音階音名と前記楽音ピッチ演算決定部で決定された標準楽音のピッチとに基づき複数の標準楽音の楽音信号をそれぞれ発生し、前記スピーカから複数の標準楽音を時系列にまたは同時に出力する標準楽音発生・出力部と、
調律すべく演奏等により入力された前記入力楽音の周波数を測定する周波数測定部と、
前記周波数測定部で測定された入力楽音の周波数と前記楽音ピッチ演算決定部で決定された基準ピッチとのピッチ誤差を求めるピッチ誤差計算部と、
前記ピッチ誤差を表示するピッチ誤差表示部と
を備えることを特徴とする調律器。
【請求項７】
和音を構成する各楽音のうち指定した１つの楽音以外の楽音をスピーカから出力し、それらの楽音による和音の響きを聴きながら前記指定した１つの楽音である入力楽音のピッチを調律する和音出力型の調律器であって、
調名を指定入力する調名入力操作部と、
和音の種類を指定入力する和音入力操作部と、
調律する入力楽音が前記指定した和音の第何音であるかという調律音位置を指定入力する調律音位置入力操作部と、
調律すべく演奏等により入力された前記入力楽音の周波数を測定する周波数測定部と、
前記周波数測定部で測定された入力楽音の周波数からその入力楽音の音階音名を判別し、その判別した音階音名の位置が前記指定された調律音位置であるときの前記指定された和音の根音が前記指定した調名の音階上の第何度であるかを判別する入力音階音名・度判別部と、
指定された前記調名、和音及び前記判別された度に基づき前記和音を構成する各音階音の音階音名を決定して出力するとともに、決定した各音階音名のうち前記指定された調律音位置の音階音名以外の音階音名を標準楽音の音階音名として出力する音階音決定部と、
前記音階音決定部で決定された各音階音のうち根音のピッチを平均律で決定し、その他の音階音のピッチを純正調音律で決定し、そのうち指定された調律音位置の音階音のピッチを基準ピッチとし、その他の音階音のピッチを標準楽音ピッチとしてそれぞれ出力する楽音ピッチ演算決定部と、
前記音階音決定部で決定された標準楽音の音階音名と前記楽音ピッチ演算決定部で決定された標準楽音のピッチとに基づき複数の標準楽音の楽音信号をそれぞれ発生し、前記スピーカから複数の標準楽音を時系列にまたは同時に出力する標準楽音発生・出力部と、
前記周波数測定部で測定された入力楽音の周波数と前記楽音ピッチ演算決定部で決定された基準ピッチとのピッチ誤差を求めるピッチ誤差計算部と、
前記ピッチ誤差を表示するピッチ誤差表示部と
を備えることを特徴とする調律器。
【請求項８】
請求項６または請求項７に記載の調律器において、
純正調音律を含む各種の音律を選択指定する音律指定入力操作部を備え、
前記楽音ピッチ演算決定部は、前記音律指定入力操作部から指定された音律が純正調音律である場合、前記音階音決定部で決定された各音階音のうち根音のピッチを平均律で決定し、その他の音階音のピッチを純正調音律で決定し、前記音律指定入力操作部から指定された音律が純正調音律以外の古典音律である場合、前記音階音決定部で決定された各音階音のピッチを前記指定された音律で決定し、ピッチが決定された各音階音のうち指定された調律音位置の音階音のピッチを基準ピッチとし、その他の音階音のピッチを標準楽音ピッチとしてそれぞれ出力することを特徴とする調律器。
【発明の詳細な説明】
【０００１】
【発明の属する技術分野】
本発明は、楽器音や肉声音などの楽音のピッチを調律する調律器に係り、特に和音を奏する雰囲気でその和音を構成する楽音の調律が行える調律器に関する。
【０００２】
【従来の技術】
ピアノ、ギター等の楽器では、時間経過によってその楽音のピッチが変化してしまうため、適宜ピッチを補正する必要がある。また、トロンボーンやバイオリン等の楽器では、手の位置（動作量）によってピッチが変化するため、手の位置（動作量）を調べる必要がある。これらのことを行うには、調律器が多く用いられている。
【０００３】
ここで、ピッチとは、ある標準楽音と比較して耳で判断されるその楽音の高低位置、ないしはその楽音の相対的重さまたは鋭さの尺度と定義されるが、人間の耳は、感覚的に音程を感じているため、周波数を均等に分けても音階が均等に分けられているとは感じられない。そのため、ピッチは、１オクターブを対数関数で定義したセントという単位によって表されている。
【０００４】
例えば、代表的な１２平均律による音階では、１オクターブを１２００セントとし、１音階の幅を１００セントと定義している。周波数比（音程比）とセント値の関係は、低い周波数をｆ１、高い周波数をｆ２、セント値をｘとすると、
【０００５】
【数１】
ｆ２／ｆ１＝２ｘ／１２００          ・・・（１）
と表されるので、両辺の対数と取ると、
【０００６】
【数２】
log（ｆ２／ｆ１）＝（log２／１２００）ｘ  ・・・（２）
となる。セント値ｘは、
【０００７】
【数３】
ｘ＝（１２００／log２）（logｆ２ −logｆ１ ）
＝３９８６．３１４（logｆ２ −logｆ１ ）  ・・・（３）
と求められる。
【０００８】
図１１は、従来の調律器の構成例である。図１１に示すように、従来の調律器は、調律を行う演奏者により入力された楽音を集音するマイクロホン２０１ａとマイクロホン２０１ａが出力する楽音信号を増幅するとともに、それに含まれる雑音をフィルタによって除去してパルス信号に変換する波形整形器２０１ｂとを有する集音部２０１、集音部２０１にて変換されたパルス信号の周波数を測定する周波数測定部２０２と、周波数測定部２０２にて測定された周波数から、入力楽音の音階音名及ぶオクターブを判別する音階音判別部２０３と、判別された音階音名及びオクターブに対応した標準周波数と周波数測定部２０２にて測定された周波数とに基づき入力楽音のピッチを求めるピッチ計測部２０４と、ピッチ計測部２０４にて求められたピッチと音階音判別部２０３にて判別された音階音名及びオクターブとを表示する表示部２０５とから構成されている。
【０００９】
図１２は、表示部２０５の構成例である。図１２に示すように、表示部２０５には、ピッチ表示部２２０と音階表示部２２１とオクターブ表示部２２２とが設けられている。
【００１０】
ピッチ表示部２２０は、各音階の標準周波数を０セントとしその標準周波数からのずれ量を±５０セントの幅で表示する目盛と指針とを備える。演奏者が入力した楽音のピッチに応じて指針が動き、目盛上のセント値を指示するようになっている。図示例では、演奏者が入力した楽音のピッチが、−２５セントであることが示されている。
【００１１】
音階表示部２２１は、１２個の音階音の音符が記入された五線譜と１２個の音階音の音名「Ｃ〜Ｂ」とその下に設けられた１２個のランプ（○印で示す）とを備える。ランプ（○印で示す）は、ＬＥＤまたはＬＣＤであり、演奏者が入力した楽音の音階音を示すランプが点灯するようになっている。図示例では、音階音名「Ａ」を示すランプが点灯し、演奏者が入力した楽音の音階音名が「Ａ」であることが示されている。
【００１２】
オクターブ表示部２２２は、オクターブの範囲を示す数値「０〜±３」とその下に設けられた７個のランプ（○印で示す）とを備える。ランプ（○印で示す）は、ＬＥＤまたはＬＣＤである。図示例では、オクターブ０のランプが点灯し、演奏者が入力した楽音がオクターブ以内であることが示されている。
【００１３】
調律を行う演奏者は、表示部２０５のこのような表示を見ながら楽器から出力される楽音の音名、オクターブを維持しつつ、その楽音を入力し続けることによって、ピッチ表示部２２０の指針が目盛上の０セント値を示すようにその楽器の調律を行う。
【００１４】
なお、調律器としては、その他例えば、各音階の楽音を標準楽音としてスピーカから出力させる機能を併設し、この標準楽音に基づく聴覚的な調律も行えるようにした調律器も開発されている。
【００１５】
【発明が解決しようとする課題】
ところで、実際の演奏の場で合奏を行う場合には、それぞれのパートの楽器から音程を隔てた音を出力することになる。その場合、平均律で調律した音程のままで合奏を行うと、ハーモニーが合わず響きの濁った合奏になってしまう。したがって、合奏の演奏では、ハーモニーが生じるように、他の楽器音との音程の間隔に応じて自分の楽器の採るべきピッチを平均律の基準値から変化させることが必要となる。実際、弦楽器や管楽器のようにピッチの変化が可能な楽器では、演奏者がハーモニーを聴いて正しいピッチに補正しながら演奏している。
【００１６】
このように周りの音を聴きながら自分の楽器の出力音のピッチを正しく合わせることは合奏者として非常に重要な要素である。このことは、合唱においても同様である。
【００１７】
しかし、従来の調律器は、上述したように単に楽器音や肉声音の音程のみの調律を目的として構成されているので、周りの音に対する音程を考慮した調律をすることができないという問題がある。
【００１８】
本発明は、上記事情に鑑みてなされたものであり、調律する楽音と和音を構成する１つの楽音または複数の楽音をスピーカから出力する標準楽音として用いることにより、和音を奏するときのピッチ誤差が調律できる調律器を提供することを目的とする。
【００１９】
【課題を解決するための手段】
上記目的を達成するために、本発明の調律器は、和音を構成する２つの楽音の一方の楽音である標準楽音を平均律によるピッチでスピーカから出力し、前記標準楽音の音を聴きながら他方の楽音のピッチを純正調音律によって調律する単音出力型の調律器であって、調律する入力楽音の音階音名を入力する楽音名入力操作部と、前記音階音名の音階音と前記標準楽音とのインターバルを入力するインターバル入力操作部と、前記楽音名入力操作部から入力された音階音名と前記インターバル入力操作部から入力されたインターバルとに基づき前記標準楽音の音階音名を決定する標準楽音決定部と、前記標準楽音決定部で決定された音階音名の標準楽音のピッチを平均律で決定し、前記決定した平均律による標準楽音のピッチと前記インターバル入力操作部から入力されたインターバルの純正調音律によるピッチとから前記入力された音階音名の音階音に対する基準ピッチを演算する楽音ピッチ演算決定部と、前記標準楽音決定部で決定された標準楽音の音階音名と前記楽音ピッチ演算決定部で決定された標準楽音の平均律によるピッチとに基づき当該標準楽音の楽音信号を発生し、前記スピーカから当該標準楽音を出力する標準楽音発生・出力部と、調律すべく演奏等により入力された前記入力楽音の周波数と前記楽音ピッチ演算決定部で決定された基準ピッチとのピッチ誤差を求めるピッチ誤差計算部と、前記ピッチ誤差計算部で求められたピッチ誤差を表示するピッチ誤差表示部とを備えることを特徴とする。
【００２０】
この構成によれば、調律楽音の音階音名とインターバルを設定入力して起動すると、調律楽音から所定のインターバル離れた位置にある標準楽音が平均律によるピッチでスピーカから出力される。調律者が、その標準楽音を聴きながら調律楽音を入力すると、標準楽音との和音としての調律楽音のピッチ誤差が純正調音律により表示される。調律者は、起動と調律楽音の入力とを繰り返すことにより、標準楽音と調律楽音の和音としての響きとピッチ誤差を確認しつつ、正しい純正な和音の響きが得られるように調律楽音のピッチを調律することができる。したがって、単音出力型の調律器であるが、和音を奏する環境下でその和音構成音の調律が行える。
【００２１】
また、本発明の調律器は、和音を構成する２つの楽音の一方の楽音である標準楽音を平均律によるピッチでスピーカから出力し、前記標準楽音の音を聴きながら他方の楽音のピッチを純正調音律によって調律する単音出力型の調律器であって、調律する入力楽音と前記標準楽音とのインターバルを入力するインターバル入力操作部と、調律すべく演奏等により入力された前記入力楽音の周波数を測定する周波数測定部と、前記周波数測定部で測定された入力楽音の周波数からその入力楽音の音階音名を判別する入力音階音名判別部と、前記入力音階音名判別部で判別された音階音名と前記インターバル入力操作部から入力されたインターバルとに基づき前記標準楽音の音階音名を決定する標準楽音決定部と、前記標準楽音決定部で決定された音階音名の標準楽音のピッチを平均律で決定し、前記決定した平均律による標準楽音のピッチと前記インターバル入力操作部から入力されたインターバルの純正調音律によるピッチとから前記判別された音階音名の音階音に対する基準ピッチを演算する楽音ピッチ演算決定部と、前記標準楽音決定部で決定された標準楽音の音階音名と前記楽音ピッチ演算決定部で決定された標準楽音の平均律によるピッチとに基づき当該標準楽音の楽音信号を発生し、前記スピーカから当該標準楽音を出力する標準楽音発生・出力部と、前記周波数測定部で測定された入力楽音の周波数と前記楽音ピッチ演算決定部で決定された基準ピッチとのピッチ誤差を求めるピッチ誤差計算部と、前記ピッチ誤差計算部で求められたピッチ誤差を表示するピッチ誤差表示部とを備えることを特徴とする。
【００２２】
この構成によれば、インターバルを設定入力して起動し、調律楽音を入力すると、調律楽音から所定のインターバル離れた位置にある標準楽音が平均律によるピッチでスピーカから出力されるとともに、標準楽音との和音としての調律楽音のピッチ誤差が純正調音律により表示される。調律者は、調律楽音の入力を繰り返すことにより、標準楽音と調律楽音の和音としての響きとピッチ誤差を確認しつつ、正しい純正な和音の響きが得られるように調律楽音のピッチを調律することができる。したがって、単音出力の調律器であるが、和音を奏する環境下でその和音構成音の調律が行える。
【００２３】
また、本発明の調律器は、上記本発明の単音出力型の調律器において、平均律の設定を標準楽音と入力楽音の何れに行うかを指定する平均律指定入力操作部を備え、前記楽音ピッチ演算決定部は、前記平均律指定入力操作部が、標準楽音を指定しているとき、前記標準楽音決定部で決定された音階音名の標準楽音のピッチを平均律で決定し、前記決定した平均律による標準楽音のピッチと前記インターバル入力操作部から入力されたインターバルの純正調音律によるピッチとから前記楽音名入力操作部から入力された音階音名または前記入力音階音名判別部で判別された音階音名の音階音に対する基準ピッチを演算する一方、前記平均律指定入力操作部が、入力楽音を指定しているとき、前記楽音名入力操作部から入力された音階音名または前記入力音階音名判別部で判別された音階音名の音階音に対する基準ピッチを平均律で決定し、前記決定した平均律による基準ピッチと前記インターバルの純正調音律によるピッチとから前記標準楽音決定部で決定され音階音名の標準楽音のピッチを演算することを特徴とする。
【００２４】
この構成によれば、ユーザの多様な要求に柔軟に対応できる純正調音律による単音出力型の調律器が提供できる。
【００２５】
さらに、本発明の調律器は、上記本発明の単音出力型の調律器において、純正調音律、ピタゴラス音律、ミーントーン音律、平均律等の各種の音律を選択指定する音律指定入力操作部を備え、前記楽音ピッチ演算決定部は、前記標準楽音決定部で決定された音階音名の標準楽音のピッチを平均律で決定し、前記決定した平均律による標準楽音のピッチと前記インターバル入力操作部から入力されたインターバルの前記音律指定入力操作部から指定された音律によるピッチとから前記楽音名入力操作部から入力された音階音名または前記入力音階音名判別部で判別された音階音名の音階音に対する基準ピッチを演算することを特徴とする。
【００２６】
この構成によれば、純正調音律だけでなく、各種の古典音律のもとで、和音構成音のピッチを和音との関連で調律できる単音出力型の調律器が提供できる。
【００２７】
さらにまた、本発明の調律器は、上記本発明の単音出力型の調律器において、平均律の設定を標準楽音と入力楽音の何れに行うかを指定する平均律指定入力操作部を備え、前記楽音ピッチ演算決定部は、前記平均律指定入力操作部が、標準楽音を指定しているとき、前記標準楽音決定部で決定された音階音名の標準楽音のピッチを平均律で決定し、前記決定した平均律による標準楽音のピッチと前記インターバル入力操作部から入力されたインターバルの前記音律指定入力操作部から指定された音律によるピッチとから前記楽音名入力操作部から入力された音階音名または前記入力音階音名判別部で判別された音階音名の音階音に対する基準ピッチを演算する一方、前記平均律指定入力操作部が、入力楽音を指定しているとき、前記楽音名入力操作部から入力された音階音名または前記入力音階音名判別部で判別された音階音名の音階音に対する基準ピッチを平均律で決定し、前記決定した平均律による基準ピッチと前記インターバル入力操作部から入力されたインターバルの前記音律指定入力操作部から指定された音律によるピッチとから前記標準楽音決定部で決定された音階音名の標準楽音のピッチを演算することを特徴とする。
【００２８】
この構成によれば、ユーザの多様な要求に柔軟に対応できる各種音律による単音出力型の調律器が提供できる。
【００２９】
本発明の調律器は、和音を構成する各楽音のうち指定した１つの楽音以外の楽音をスピーカから出力し、それらの楽音による和音の響きを聴きながら前記指定した１つの楽音である入力楽音のピッチを調律する和音出力型の調律器であって、調名を指定入力する調名入力操作部と、和音の種類を指定入力する和音入力操作部と、前記指定した和音の根音が前記指定した調名の音階上の第何度であるかを示す度を指定入力する度入力操作部と、調律する入力楽音が前記指定した和音の第何音であるかという調律音位置を指定入力する調律音位置入力操作部と、指定された前記調名、和音及び度に基づき前記和音を構成する各音階音の音階音名を決定して出力するとともに、決定した各音階音名のうち指定された前記調律音位置の音階音名以外の音階音名を標準楽音の音階音名として出力する音階音決定部と、前記音階音決定部で決定された各音階音のうち根音のピッチを平均律で決定し、その他の音階音のピッチを純正調音律で決定し、そのうち指定された前記調律音位置の音階音のピッチを基準ピッチとし、その他の音階音のピッチを標準楽音ピッチとしてそれぞれ出力する楽音ピッチ演算決定部と、前記音階音決定部で決定された標準楽音の音階音名と前記楽音ピッチ演算決定部で決定された標準楽音のピッチとに基づき複数の標準楽音の楽音信号をそれぞれ発生し、前記スピーカから複数の標準楽音を時系列にまたは同時に出力する標準楽音発生・出力部と、調律すべく演奏等により入力された前記入力楽音の周波数を測定する周波数測定部と、前記周波数測定部で測定された入力楽音の周波数と前記楽音ピッチ演算決定部で決定された基準ピッチとのピッチ誤差を求めるピッチ誤差計算部と、前記ピッチ誤差を表示するピッチ誤差表示部とを備えることを特徴とする。
【００３０】
この構成によれば、ある具体的な調の音階上での和音とその和音中の調律音位置とを設定入力して起動すると、調律楽音以外の和音構成音（標準楽音）が根音を平均律によるピッチでスピーカから出力される。調律者が、調律楽音以外の和音構成音が奏する和音の響きを聴きながら調律楽音を入力すると、調律楽音の和音としてのピッチ誤差が純正調音律により表示される。調律者は、起動と調律楽音の入力と繰り返すことにより、和音の響きとピッチ誤差を確認しつつ、正しい純正な和音の響きが得られるように調律楽音のピッチを調律することができる。したがって、和音を奏する環境下でその和音構成音の調律が行える和音出力型の調律器が提供できる。
【００３１】
また、本発明の調律器は、和音を構成する各楽音のうち指定した１つの楽音以外の楽音をスピーカから出力し、それらの楽音による和音の響きを聴きながら前記指定した１つの楽音である入力楽音のピッチを調律する和音出力型の調律器であって、調名を指定入力する調名入力操作部と、和音の種類を指定入力する和音入力操作部と、調律する入力楽音が前記指定した和音の第何音であるかという調律音位置を指定入力する調律音位置入力操作部と、調律すべく演奏等により入力された前記入力楽音の周波数を測定する周波数測定部と、前記周波数測定部で測定された入力楽音の周波数からその入力楽音の音階音名を判別し、その判別した音階音名の位置が前記指定された調律音位置であるときの前記指定された和音の根音が前記指定した調名の音階上の第何度であるかを判別する入力音階音名・度判別部と、指定された前記調名、和音及び前記判別された度に基づき前記和音を構成する各音階音の音階音名を決定して出力するとともに、決定した各音階音名のうち前記指定された調律音位置の音階音名以外の音階音名を標準楽音の音階音名として出力する音階音決定部と、前記音階音決定部で決定された各音階音のうち根音のピッチを平均律で決定し、その他の音階音のピッチを純正調音律で決定し、そのうち指定された前記調律音位置の音階音のピッチを基準ピッチとし、その他の音階音のピッチを標準楽音のピッチとしてそれぞれ出力する楽音ピッチ演算決定部と、前記音階音決定部で決定された標準楽音の音階音名と前記楽音ピッチ演算決定部で決定された標準楽音のピッチとに基づき複数の標準楽音の楽音信号をそれぞれ発生し、前記スピーカから複数の標準楽音を時系列にまたは同時に出力する標準楽音発生・出力部と、前記周波数測定部で測定された入力楽音の周波数と前記楽音ピッチ演算決定部で決定された基準ピッチとのピッチ誤差を求めるピッチ誤差計算部と、前記ピッチ誤差を表示するピッチ誤差表示部とを備えることを特徴とする。
【００３２】
この構成によれば、ある具体的な調の音階上での和音とその和音中の調律音位置とを設定入力して起動し、調律楽音を入力すると、調律楽音以外の和音構成音（標準楽音）が根音を平均律によるピッチでスピーカから出力されるとともに、調律楽音の和音としてのピッチ誤差が純正調音律により表示される。調律者は、調律楽音の入力と繰り返すことにより、和音の響きとピッチ誤差を確認しつつ、正しい純正な和音の響きが得られるように調律楽音のピッチを調律することができる。したがって、和音を奏する環境下でその和音構成音の調律が行える和音出力型の調律器が提供できる。
【００３３】
さらに、本発明の調律器は、上記本発明の和音出力型の調律器において、純正調音律を含む各種の音律を選択指定する音律指定入力操作部を備え、前記楽音ピッチ演算決定部は、前記音律指定入力操作部から指定された音律が純正調音律である場合、前記音階音決定部で決定された各音階音のうち根音のピッチを平均律で決定し、その他の音階音のピッチを純正調音律で決定し、前記音律指定入力操作部から指定された音律が純正調音律以外の古典音律である場合、前記音階音決定部で決定された各音階音のピッチを前記指定された音律で決定し、ピッチが決定された各音階音のうち指定された調律音位置の音階音のピッチを基準ピッチとし、その他の音階音のピッチを標準楽音ピッチとしてそれぞれ出力することを特徴とする。
【００３４】
この構成によれば、ユーザの多様な要求に柔軟に対応できる各種音律による和音出力型の調律器が提供できる。
【００３５】
【発明の実施の形態】
以下、本発明の実施の形態による調律器を図１〜図１０を参照して説明する。
【００３６】
図１は、本発明の実施の形態１による調律器の構成ブロック図である。図２〜図４は、本発明の各実施の形態で用いる標準楽音信号発生部の構成例である。図５は、本実施の形態１による調律器が備える操作パネルの正面図である。図６は、操作パネルの表示態様の他の一例を示す図である。
【００３７】
本実施の形態１による調律器は、和音を構成する２つの楽音の一方（標準楽音）を平均律によるピッチでスピーカから出力し、その標準楽音の音を聴きながら他方の楽音のピッチを純正調音律によって調律する単音出力型の調律器に関する。
【００３８】
図１において、集音部１では、調律者が入力する楽器音や肉声音などの楽音（以下「入力楽音」という）をマイクロホン１ａが集音して電気信号（楽音信号）へ変換し、その入力楽音信号を波形整形器１ｂが増幅するとともに、それに含まれる雑音をフィルタによって除去してパルス信号に変換する。
【００３９】
周波数測定部２は、集音部１から入力するパルス信号の周期から入力楽音の周波数を測定する。
【００４０】
ピッチ誤差計算部３は、周波数測定部２で測定された入力楽音の周波数の基本周期と楽音ピッチ演算決定部１３からの基準ピッチによる基準周期との誤差（ピッチ誤差）を演算し、そのピッチ誤差のセント値を求め、ピッチ誤差表示部４に出力する。ピッチ誤差表示部４は、後述する図５に示すように、操作パネルに設けられている。
【００４１】
切換スイッチ５は、操作パネルからオート／マニュアルの切換操作が行えるようにするためのスイッチである。この切換スイッチ５の一方の切換入力端であるオート切換端５ａを選択することにより、周波数測定部２で測定された入力楽音の周波数値が出力端５ｃから入力音階音名判別部６に対し出力される。一方、他方の入力切換端であるマニュアル切換端５ｂを選択すると、入力音階音名判別部６は、周波数測定部２の出力から切り離され、動作しないようになっている。
【００４２】
入力音階音名判別部６は、周波数と音階音名の関係テーブルを備え、オート操作時に切換スイッチ５を介して周波数測定部２から入力する入力楽音の周波数値に最も近い周波数値の音階音をこの関係テーブルを参照して選定し、その選定した音階音の音名を入力楽音の音階音名として判別する。判別された音階音名は、入力音階音名表示部７と切換スイッチ８とに入力されている。入力音階音名表示部７は、後述する図５に示すように、操作パネルに設けられている。
【００４３】
切換スイッチ８は、切換スイッチ５と連動して操作パネルからオート／マニュアルの切換操作が行えるようになっている。即ち、入力音階音名判別部６の出力が入力する一方の入力端であるオート切換端８ａが選択されると、入力音階音名判別部６の出力が出力端８ｃから標準楽音決定部１２に対し出力される。また、他方の入力切換端であるマニュアル切換端８ｂが選択されると、音階音名入力操作部９の出力が出力端８ｃから標準楽音決定部１２に対し出力されるようになっている。
【００４４】
音階音名入力操作部９は、後述する図５に示すように操作パネルに設けられるもので、切換スイッチ５、８をマニュアル操作に切り換えた状態において、調律しようとする入力楽音の音階音名を設定入力できるようになっている。
【００４５】
インターバル入力操作部１０は、後述する図５に示すように操作パネルに設けられるもので、切換スイッチ５、８のオート／マニュアルの双方の切換状態において、調律しようとする入力楽音と和音を構成する音階音である標準楽音とのインターバルを設定入力することができる。インターバルは、例えば、長３度や完全５度など２音間の間隔である。設定入力されたインターバルは、標準楽音決定部１２と楽音ピッチ演算決定部１３とに入力する。
【００４６】
スタートボタン１１は、後述する図５に示すように操作パネルに設けられるもので、標準楽音決定部１２の動作開始を指示する操作ボタンである。
【００４７】
標準楽音決定部１２は、音階音名とインターバルとの関係テーブルを備え、スタートボタン１１の操作に応答して切換スイッチ８を介して入力する音階音名と設定入力されたインターバルとに基づき関係テーブルを参照し、音として出力する標準楽音の音階音名を決定する。決定された標準楽音（音階音名）は、楽音ピッチ演算決定部１３と標準楽音信号発生部１４とに入力する。
【００４８】
このとき、標準楽音決定部１２では、切換スイッチ８のオート／マニュアルの切換状態に応じて次のように動作する。切換スイッチ８がオート操作の状態にあるときには、スタートボタン１１の操作に応答して上記動作を連続して行う。一方、切換スイッチ８がマニュアル操作の状態にあるときには、スタートボタン１１の操作毎に上記動作を行うようになっている。
【００４９】
楽音ピッチ演算決定部１３は、標準楽音決定部１２から入力した音階音名の標準楽音のピッチを平均律で決定し、その決定した標準楽音ピッチを標準楽音信号発生部１４に出力する。また、楽音ピッチ演算決定部１３は、純正調音律によるインターバルピッチテーブルを備え、インターバル入力操作部１０から入力されたインターバルのピッチをそのインターバルピッチテーブルから取り出し、取り出したインターバルピッチを上記決定した標準楽音ピッチに加算することにより、調律者が調律しようとする入力楽音の基準ピッチを求め、それをピッチ誤差計算部４に出力する。これにより、ピッチ誤差表示部５に入力楽音のピッチ誤差が表示される。
【００５０】
標準楽音信号発生部１４は、標準楽音決定部９から入力する標準楽音（音階音名）と、楽音ピッチ演算決定部１３から入力する標準楽音ピッチとを用いて、例えば図２〜図４に示す３通りの何れかの方法で標準楽音の楽音信号を発生し、標準楽音出力部１５に送出する。
【００５１】
図２において、標準楽音信号発生部１４ａは、所定の音階における全ての音階音の波形データを記憶する楽音信号メモリ２１と、標準楽音決定部１２の出力（標準楽音の音階音名）と楽音ピッチ演算決定部１３の出力（標準楽音ピッチ）とに基づき対応する標準楽音信号の波形データを楽音信号メモリ２１から読み出す楽音信号読出部２２とを備え、読み出した標準楽音信号の波形データをアナログ化して標準楽音出力部１５の増幅器１５ａに送出するように構成されている。
【００５２】
また、図３において、標準楽音信号発生部１４ｂは、所定の音階における全ての音階音の波形データではなく、全音階中の任意のポイントの楽音信号の波形データを記憶する楽音信号メモリ３１と、標準楽音決定部１２の出力（標準楽音の音階音名）と楽音ピッチ演算決定部１３の出力（標準楽音ピッチ）とに基づき楽音信号メモリ３１の読出アドレスを設定する読出メモリアドレス設定部３２と、読出メモリアドレス設定部３２からの読出アドレスに従って対応する標準楽音信号の波形データを楽音信号メモリ３１から読み出す楽音信号読出部３２とを備え、読み出した標準楽音信号の波形データをアナログ化して標準楽音出力部１５の増幅器１５ａに送出するように構成されている。
【００５３】
この標準楽音信号発生部１４ｂでは、楽音信号メモリ３１に記憶される全音階中の任意のポイントの楽音信号の波形データを、読出メモリアドレス設定部３２と楽音信号読出部３３とにより、楽音信号メモリ３１から取り出した楽音信号のピッチを入力された標準楽音のピッチへ変換し、それをアナログ化して標準楽音出力部１５の増幅器１５ａに送出することが行われる。
【００５４】
具体的には、次のような動作が行われている。一定クロックによって楽音信号メモリ３１から読み出して楽音信号を再生する際に、１アドレス毎に読み出すと記憶された楽音信号がそのまま出力される。それを、１アドレス飛ばして２アドレス毎に読み出すと、その１オクターブ高い楽音信号として再生される。また、約１．０６アドレス毎に読み出すと、半音高い楽音信号として再生される。このように、入力された標準楽音ピッチに応じて読み出すアドレスの間隔を変化することにより、楽音信号メモリ３１に記憶した楽音信号のピッチを標準楽音のピッチへ変換して出力している。
【００５５】
また、図４において、標準楽音信号発生部１４ｃは、カウント値に応じた矩形波楽音信号を発生するカウンタ４１と、標準楽音の音階音名及びピッチに応じたデータが設定されるデータテーブルを備え、標準楽音決定部１２の出力（標準楽音の音階音名）と楽音ピッチ演算決定部１３の出力（標準楽音ピッチ）とに基づき対応するデータをデータテーブルから取り出し、それをカウンタ４１にカウント値として設定するカウント値設定部４２とを備え、カウンタ４１が発生する矩形波信号をアナログ化して標準楽音出力部１５の増幅器１５ａに送出するように構成されている。
【００５６】
この標準楽音信号発生部１４ｃでは、次のような動作が行われている。標準楽音決定部１２の出力（標準楽音の音階音名）と楽音ピッチ演算決定部１３の出力（標準楽音ピッチ）とに基づき対応するデータをデータテーブルから取り出し、そのテーブルデータをカウンタ４１にセットする。カウンタ４１は、出力レベルを一方のレベルにした状態で一定クロックによってカウントアップし、カウント値が設定したデータの値と等しくなると、出力レベルを他方のレベルに反転する。反転すると、カウント値はリセットされ、再度カウントアップ動作を行い、出力レベルを反転することを行う。この動作が繰り返されることにより、カウンタ４１から、入力された標準楽音ピッチに応じた周波数の矩形波楽音信号が出力される。
【００５７】
次いで標準楽音出力部１５では、増幅器１５ａが入力する楽音信号を所定レベルに増幅し、スピーカ１５ｂを駆動することにより、スピーカ１５ｂから標準楽音の音が出力される。
【００５８】
次に、図５は、操作パネルの構成例である。図５に示すように、操作パネルには、ピッチ誤差表示部４と、スピーカ１５ｂと、入力音階音名表示部７と、ＮＯＴＥ入力操作部５１と、インターバル入力操作部１０と、スタートボタン１１と、マイクロホン１ａとが配置されている。
【００５９】
ピッチ誤差表示部４は、ピッチ誤差のない場合を０セントとし、ピッチ誤差の大きさを±５０セントの幅で表示する目盛と指針とを備える。
【００６０】
入力音階音名表示部７には、オート操作時に調律者が演奏等により入力した楽音の音階音名が「Ｃ、Ｃ♯、・・・、Ｂ♭、Ｂ」のように表示される。
【００６１】
ＮＯＴＥ入力操作部５１は、図１に示した切換スイッチ５，８と音階音名入力操作部９とを兼用させた構成となっている。即ち、操作摘みの表面に「ＡＵＴＯ」と「Ｃ〜Ｇ、Ａ〜Ｂ」の音階音名が表示されている。一方、操作パネルの面上に基準位置を示すg印マークが表示されている。
【００６２】
「ＡＵＴＯ」の表示位置をg印マークの表示位置に設定すると、上記オート操作時の動作が行われる。また、操作摘みを右回転／左回転させ「ＡＵＴＯ」の表示位置をg印マークの表示位置から外すと、上記マニュアル操作時の動作が行われ、g印マークの表示位置に合わせた「Ｃ〜Ｇ、Ａ〜Ｂ」の音階音名が入力された音階音名として標準楽音決定部１２に取り込まれるようになっている。
【００６３】
インターバル入力操作部１０では、矢印マークが表示された操作摘みの外周に沿った操作パネル面上に、「０」「±ｍ３」「±Ｍ３」「±ｍ４」「±Ｍ４」〜「±ｍ７」「±Ｍ７」・・と、各種のインターバル値が表示され、操作摘みの矢印マークで指定するようになっている。なお、「ｍ」はminor（マイナー）、「Ｍ」はmajor（メージャー）を意味する。例えば、ｍ３は、短３度を示し、Ｍ３は長３度を示す。
【００６４】
なお、操作パネルの表示態様として、図５に示した入力音名表示部７，ＮＯＴＥ入力操作部５１及びインターバル入力操作部１０に代えて、例えば図６に示すように、ＡＵＴＯ／ＭＡＮＵＡＬの表示ランプ６１と、入力音階音名の表示ランプ６２と、ＮＯＴＥ操作ボタン６３と、インターバル表示ランプ６４と、ＩＮＴＥＲＶＡＬ操作ボタン６５とを設ける構成でも良い。
【００６５】
図６では、表示ランプ６１が、「ＡＵＴＯ」を点灯表示し、インターバル表示ランプ６４が「＋Ｍ３」を点灯表示している。これは、ＩＮＴＥＲＶＡＬ操作ボタン６５の右シフトボタンまたは左シフトボタンを操作して表示させたものである。表示ランプ６２には、「ＡＵＴＯ」時では調律者が演奏等で入力した楽音の音階音名が表示される一方、「ＭＡＮＵＡＬ」時ではＮＯＴＥ操作ボタン６３の右シフトボタンまたは左シフトボタンを操作して設定した音階音名が表示される。これらの表示内容は、図５に示してあるスタートボタン１１の操作に応答して標準楽音決定部１２に取り込まれるようになっている。
【００６６】
次に、本実施の形態１による調律器の動作を図１を参照して説明する。マニュアル操作では、音階音名入力操作部９から調律する楽音の音階音名を設定入力し、インターバル入力操作部１０からインターバルを設定入力する。例えば、音階音名＝Ｅ（ミ）、インターバル＝−長３度（−Ｍ３）と設定し、スタートボタン１１を操作する。
【００６７】
すると、標準楽音決定部１２にて標準楽音「Ｃ」の音階音名が決定される。そして、楽音ピッチ演算決定部１３にて標準楽音「Ｃ」のピッチが平均律で決定され、スピーカ１５ｂから平均律による標準楽音「Ｃ」の音が出力される。このように、マニュアル操作にすると、調律する楽音「Ｅ」を入力する前に、その調律楽音と和音を構成する標準楽音「Ｃ」が出力される。
【００６８】
同時に楽音ピッチ演算決定部１３では、決定した標準楽音「Ｃ」の平均律によるピッチとインターバル「−Ｍ３」の純正調音律によるピッチとを加算して入力楽音「Ｅ」に対する基準ピッチ「−３８６．３セント」を決定し、それをピッチ誤差計算部３に出力する。
【００６９】
調律者が、スピーカ１５ｂから出る標準楽音「Ｃ」の音を聴きながら、音階音名「Ｅ」の楽音をマイクロホン１ａから入力すると、ピッチ誤差表示部４にピッチ誤差が表示される。このように、調律者は、入力楽音と標準楽音とが奏する和音の響き聴き、入力楽音が標準楽音と和音を奏するときのピッチ誤差をピッチ誤差表示部４で確認することができる。
【００７０】
再度スタートボタン１１を操作し、標準楽音「Ｃ」の楽音を聴きながらピッチを代えたＥ音をマイクロホン１ａから入力し、和音の響きとピッチ誤差を確認する。この操作を繰り返すことにより、Ｃ音と和音を構成するＥ音のピッチを正しい純正な和音の響きを奏するように調律することができる。
【００７１】
次に、オート操作では、インターバル入力操作部１０からインターバル（ 例えば-長３度（−Ｍ３））を設定する。そして、スタートボタン１１を操作し、例えば「Ｅ」の楽音をマイクロホン１ａから入力する。
【００７２】
すると、入力された楽音「Ｅ」の周波数が周波数測定部３によって測定され、測定された周波数を基に入力音階音名判別部６によってその入力楽音の音階音名「Ｅ」が判別され、標準楽音決定部１２に入力する。標準楽音決定部１２では、設定されたインターバル「-長３度」と判別された音階音名「Ｅ」とによって標準楽音「Ｃ」の音階音名が決定される。その後はマニュアル操作時と同様の動作が行われ、標準楽音「Ｃ」の楽音がスピーカ１５ｂから出力され、またピッチ誤差表示部４にピッチ誤差が表示される。以後、楽音「Ｅ」を入力する度に上記動作が行われる。
【００７３】
したがって、調律者は、オート操作にすると１回のスタートボタン１１の操作により、Ｃ音と和音を構成するＥ音のピッチを和音の響きを確認しながら調節し、正しい純正な和音の響きを奏するように調律することができる。
【００７４】
次に、図７は、本発明の実施の形態２による調律器の構成ブロック図である。図８は、操作パネルの正面図である。なお、図７と図８では、図１と図５で示した構成要素と同一となる構成要素には、同一の符号・名称を付してある。ここでは、本実施の形態２に係る部分を中心に説明する。
【００７５】
本実施の形態２による調律器は、実施の形態１による調律器と同様に、和音を構成する２つの楽音の一方（標準楽音）をスピーカから出し、その標準楽音の音を聴きながら他方の楽音（入力楽音）を調律する単音出力型の調律器に関するが、異なる点は、次の３つである。
【００７６】
まず、ユーザの多様なニーズに柔軟に対応できるようにするため、平均律指定入力操作部７１を設け、入力楽音と標準楽音の何れか一方のピッチを平均律で設定できるようにしている。平均律指定入力操作部７１の出力は、楽音ピッチ演算決定部４３に入力する。したがって、楽音ピッチ演算決定部７３は、後述するように、平均律指定入力操作部７１での指定内容に応じて２つの動作を行うようになっている。
【００７７】
また、和音を純正に響かせるためには、実施の形態１のように基準ピッチは純正調音律で計算するのが良いが、演奏の場によっては古典音律その他の音律が要求される場合もある。そこで、本実施の形態２では、音律指定入力操作部７２を設け、純正調音律だけでなく、平均律や古典音律等その他の音律の設定入力が行えるようになっている。
【００７８】
音律指定入力操作部７２で設定入力できる音律としては、例えば図８では、ＰＵＲＥ（純正調音律）と、ＰＹＴＨＡＧＯＲＥＡＮ（ピタゴラス音律）と、ＭＥＡＮＴＯＮＥ（ミーントーン音律）の１／４及び１／６と、ＥＱＵＡＬ ＴＥＭＰ（平均律）とが示されている。
【００７９】
この音律指定入力操作部７２の出力は、楽音ピッチ演算決定部７３に入力する。したがって、楽音ピッチ演算決定部７３には、純正調音律、古典音律等その他の音律を含む各種の音律毎のインターバルピッチが設定されるインターバルピッチテーブルを備えている。このインターバルピッチテーブルの具体的な設定内容は、後述する。
【００８０】
さらに、本実施の形態２では、音階音名入力操作部７４を、図８に示すように音階音名をインクリメント／ディクリメント方式で１つ宛出力するように構成し、入力音階音名表示部７５を切換スイッチ８の出力端８ｃと標準楽音決定部１２との間に介在させてある。入力音階音名表示部７５は、マニュアル操作時にスイッチ８を介して音階音名入力操作部７４の出力を順々に表示し、スタートボタン１１の操作時の表示内容を標準楽音決定部１２に保持出力するようにしてある。なお、切換スイッチ８の切換状態が標準楽音決定部１２に入力する点は、実施の形態１と同様である。
【００８１】
さて、楽音ピッチ演算決定部７３が備えるインターバルピッチテーブルは、例えば次のようにして設定される。
【００８２】
（１）インターバルが長３度で、純正調音律の場合の入力音階音の基準ピッチは、標準楽音から＋３８６．３セントの値であり、このセント値がこの場合のインターバルピッチ値である。（２）インターバルが完全５度で、純正調音律の場合の入力音階音の基準ピッチは、標準楽音から＋７０２．０セントの値であり、このセント値がこの場合のインターバルピッチ値である。
【００８３】
また、（３）インターバルが長３度で、ミーントーン音律の場合の入力音階音の基準ピッチは、標準楽音から＋３８６．３セントの値であり、このセント値がこの場合のインターバルピッチ値である。（４）インターバルが完全５度で、ミーントーン音律の場合の入力音階音の基準ピッチは、標準楽音から＋６９６．３セントの値であり、このセント値がこの場合のインターバルピッチ値である。
【００８４】
次に楽音ピッチ演算決定部７３は、平均律指定入力操作部７１の設定内容に応じて、次のようにして標準楽音ピッチ及び調律者が入力する音階音の基準ピッチを演算し、決定する。
【００８５】
（１）平均律指定入力操作部７１が標準楽音を指定しているときは、標準楽音決定部１２で決定された標準楽音のピッチを平均律で決定し、その決定した平均律による標準楽音のピッチとインターバル入力操作部１０から入力されたインターバルの音律指定入力操作部７２から指定された音律によるピッチとから、入力音階音名表示部７５が出力する音階音名（つまり音階音名入力操作部７４から入力された音階音名または入力音階音名判別部６で判別された入力楽音の音階音名）の音階音に対する基準ピッチを演算する。
【００８６】
これにより、スピーカ１５ｂから標準楽音が平均律のピッチで出力される。一方、ピッチ誤差は、音律指定入力操作部７２から指定された音律に基づいて表示される。
【００８７】
（２）平均律指定入力操作部７１が、入力楽音を指定しているときは、入力音階音名表示部７５が出力する音階音に対する基準ピッチを平均律で決定し、決定した平均律による基準ピッチとインターバルの音律指定入力操作部７２から指定された音律によるピッチとから標準楽音のピッチを演算する。
【００８８】
これにより、スピーカ１５ｂから標準楽音が音律指定入力操作部７２から指定された音律に基づくピッチで出力される。一方、ピッチ誤差は、平均律に基づいて表示される。
【００８９】
ここで、音律指定入力操作部７２を設けない場合には、当該調律器は、実施の形態１の調律器と同様に純正調音律のみの調律器となり、次のように動作する。
【００９０】
即ち、楽音ピッチ演算決定部７３は、平均律指定入力操作部７１が、標準楽音を指定しているとき、標準楽音決定部１２で決定された標準楽音のピッチを平均律で決定し、その決定した平均律による標準楽音のピッチとインターバル入力操作部１０から入力されたインターバルの純正調音律によるピッチとを加算し、入力音階音名表示部７５が出力する音階音名の音階音に対する基準ピッチを演算する。
【００９１】
一方、平均律指定入力操作部７１が、入力楽音を指定しているとき、入力音階音名表示部７５が出力する音階音名の音階音に対する基準ピッチを平均律で決定し、その決定した平均律による基準ピッチとインターバルの純正調音律によるピッチとから標準楽音のピッチを演算することになる。
【００９２】
次に、操作パネルを説明する。図８に示すように、操作パネルには、平均律指定入力操作部７１と、音律指定入力操作部７２と、マイクロホン１ａと、ＡＵＴＯ操作ボタン８１と、ＭＡＮＵＡＬ操作ボタン８２と、音階音名入力操作部７４と、インターバル入力操作部１０と、スタートボタン１１と、入力音階音名表示部７５と、ピッチ誤差表示部４と、スピーカ１５ｂとが配置されている。ここでは、図５で示したものと異なる操作部を説明する。
【００９３】
平均律指定入力操作部７１では、操作摘みに矢印マークが表示され、操作パネルの面上に「入力音」と「標準楽音」が表示され、操作摘みの矢印マークを「入力音」と「標準楽音」の表示位置に設定することにより、平均律の指定入力が行えるようになっている。
【００９４】
音律指定入力操作部７２では、アップ操作ボタン８３とダウン操作ボタン８４とが並んで設けられ、その下側に、上下方向に並んで例えば５つの音律（ＰＵＲＥ、ＰＹＴＨＡＧＯＲＥＡＮ、ＭＥＡＮＴＯＮＥ１／４、ＭＥＡＮＴＯＮＥ１／６、ＥＱＵＡＬ ＴＥＭＰ）が表示されている。
【００９５】
各音律名の先頭に表示されている□印はチェックランプであり、アップ操作ボタン８３とダウン操作ボタン８４の操作により指定されると点灯する。図示例では、「gＰＵＲＥ」となっているので、純正調音律が指定されていることが示されている。
【００９６】
ＡＵＴＯ操作ボタン８１とＭＡＮＵＡＬ操作ボタン８２は、押すと点灯し、オート操作状態とマニュアル操作状態を表示する。
【００９７】
音階音名入力操作部７４には、右シフトボタン８５と左シフトボタン８６とが設けられている。ＭＡＮＵＡＬ操作ボタン８２を点灯させて右シフトボタン８５と左シフトボタン８６を操作すると、入力音階音名表示部７５に「Ｃ〜Ｇ、Ａ〜Ｂ」の音階音名が順次インクリメントまたはディクリメントして表示（点滅灯表示）されるようになっている。
【００９８】
ＭＡＮＵＡＬ操作ボタン８２を点灯させてある音階音名（図示例ではＢ♭）を点滅灯表示させ、スタートボタン１１を操作すると、点滅灯表示が点灯表示となりその音階音名の確定が表示される。確定した音階音名が標準楽音決定部１２に取り込まれ、スピーカ１５ｂから標準楽音が出力される。その後、マイクロホン１ａから調律楽音を入力すると、ピッチ誤差表示部４にピッチ誤差が表示される。
【００９９】
一方、ＡＵＴＯ操作ボタン８１を点灯させ、スタートボタン１１を操作し、マイクロホン１ａから調律楽音を入力すると、入力音階音名判別部６で判別された音階音名が入力音階音名表示部７５に点灯表示され、音階音名が標準楽音決定部１２に取り込まれる。スピーカ１５ｂから標準楽音が出力され、同時にピッチ誤差表示部４にピッチ誤差が表示される。
【０１００】
これにより、本実施の形態２によれば、実施の形態１と同様の作用・効果が得られるのに加えて、ユーザの多様なニーズに柔軟に応えることができるようになる。
【０１０１】
次に、図９は、本発明の実施の形態３による調律器の構成ブロック図である。図１０は、操作パネルの正面図である。なお、図９と図１０では、図７と図８で示した構成要素と同一となる構成要素には、同一の符号・名称を付してある。ここでは、本実施の形態３に係る部分を中心に説明する。
【０１０２】
本実施の形態３による調律器は、和音を構成する各楽音のうち、指定した１つの楽音以外の楽音をスピーカから出力し、それらの楽音による和音の響きを聴きながら指定した１つの楽音（入力楽音）のピッチを調律する和音出力型の調律器に関する。
【０１０３】
図９において、度入力操作部９１は、図１０に示すように操作パネルに設けられるもので、調律しようとする楽音を含む和音の根音が対象とする音階上の第何度に位置するかという「度」を指定入力する操作部である。度入力操作部９１の出力は、切換スイッチ８のマニュアル切換端８ｂに入力されている。即ち、度入力操作部９１は、マニュアル操作時に使用される。
【０１０４】
和音入力操作部９２は、図１０に示すように操作パネルに設けられるもので、調律しようとする楽音を含む和音が、例えば三和音であるか七の和音であるかという和音の種類を指定入力する操作部である。和音は、高さの異なる２以上の音を組み合わせて構成されるもので、和音構成音の組み合わせにより多種多様な和音が作られる。必要性の高い幾つかの和音が指定できるようになっている。
【０１０５】
調・長短入力操作部９３は、図１０に示すように操作パネルに設けられるもので、対象とする調が「Ａ〜Ｇ」の何れの音階であるかの指定と、その調が長調であるか短調であるかの指定を入力する操作部である。つまり、具体的な調名を指定入力する操作部である。
【０１０６】
調律音位置入力操作部９４は、図１０に示すように操作パネルに設けられるもので、調律する楽音が上記指定した和音の第何音であるかという調律音位置を指定入力する操作部である。
【０１０７】
これら和音入力操作部９２と調・長短入力操作部９３と調律音位置入力操作部９４は、オート操作時とマニュアル操作時の双方において使用されるもので、それぞれの出力は、入力音階音名・度判別部９５と設定表示部９６とに入力されている。
【０１０８】
入力音階音名・度判別部９５は、周波数と音階音名との関係テーブルを備え、オート操作時において切換スイッチ５を介して周波数測定部２から入力する入力楽音の周波数値に最も近い周波数値の音階音をこの関係テーブルを参照して選定し、その選定した音階音の音名を入力楽音の音階音名として判別する。
【０１０９】
そして、判別した入力楽音の音階音名が位置する音階上の「度」を、和音入力操作部９２と調・長短入力操作部９３と調律音位置入力操作部９４の各出力に基づき判別し、切換スイッチ８のオート切換端８ａに出力する。
【０１１０】
設定表示部９６は、切換スイッチ８の出力端８ｃから入力する「度」と、和音入力操作部９２と調・長短入力操作部９３と調律音位置入力操作部９４の各出力とを取り込み点滅灯により表示し、スタートボタン１１の操作に応答して確定表示（点灯表示）を行い、音階音決定部９７に対し保持出力する。
【０１１１】
このとき、設定表示部９６では、オート／マニュアルのスイッチ状態に応じて次のように表示動作を行う。マニュアル操作時では、度入力操作部９１と和音入力操作部９２と調・長短入力操作部９３と調律音位置入力操作部９４の何れかを変更操作すると点滅灯表示を行い、スタートボタン１１を操作すると点灯表示を行う。
【０１１２】
また、オート操作時では、スタートボタン１１を操作した後に切換スイッチ８の出力端８ｃから入力する度（入力音階音名・度判別部９５の出力）については、入力するたびに取り込んで点灯表示を行う。和音入力操作部９２と調・長短入力操作部９３と調律音位置入力操作部９４の何れかを変更操作すると点滅灯表示を行い、スタートボタン１１を操作すると点灯表示を行う。
【０１１３】
次に音階音決定部９７は、スタートボタン１１の操作に応答して設定表示部９６の各出力を取り込み、指定された調名、和音及び度に基づき、その和音を構成する各音階音の音階音名を決定し、それを調律音位置とともに楽音ピッチ演算決定部９８に出力する。
【０１１４】
さらに、音階音決定部９７は、その決定した各音階音の音階音名うち、指定された調律音位置の音階音以外の音階音の音階音名を標準楽音の音階音名として標準楽音信号発生部１４に出力する。
【０１１５】
このとき、音階音決定部９７は、オート／マニュアルのスイッチ状態に応じて設定表示部９６の各表示出力を選択等して取り込むようになっている。即ち、マニュアル操作時では、スタートボタン１１の操作のたびに設定表示部９６の各表示出力を全て取り込む。オート操作時では、スタートボタン１１の操作に応答して、「度」の表示出力以外の表示出力を取り込み、その後に切換スイッチ８の出力端８ｃから入力する「度」の表示出力を取り込む。
【０１１６】
楽音ピッチ演算決定部９８は、音階音決定部９７が決定した和音を構成する各音階音のピッチを決定し、そのうち指定された調律音位置の音階音のピッチを基準ピッチとしてピッチ誤差計算部３に出力する一方、その他の音階音のピッチを標準楽音ピッチとして標準楽音信号発生部１４に出力する。例えば、楽音ピッチ演算決定部９８は、音律指定入力操作部７２から指定された音律が純正調音律である場合、音階音決定部９７で決定された各音階音のうち根音のピッチを平均律で決定し、その他の音階音のピッチを純正調音律で決定する。また、楽音ピッチ演算決定部９８は、音律指定入力操作部７２から指定された音律が純正調音律以外のピタゴラス音律、ミーントーン音律等の古典音律である場合、音階音決定部９７で決定された各音階音（根音およびその他の音階音）のピッチを、音律指定入力操作部７２から指定された音律で決定する。
【０１１７】
標準楽音信号発生部１４は、図２〜図４に示した構成のものを入力する標準楽音の個数分備え、各標準楽音の楽音信号を発生し、標準楽音出力部１５へ時系列でまたは同時に送出する。これにより、標準楽音出力部１５のスピーカ１５ｂから複数の標準楽音の音が時系列でまたは同時に出力される。即ち、スピーカ１５ｂから和音が出力される。
【０１１８】
次に、操作パネルを説明する。図１０に示すように、操作パネルには、調設定入力操作部１０１と、長短設定入力操作部１０２と、和音設定入力操作部９２と、音律指定入力操作部７２と、ＡＵＴＯ操作ボタン８１と、ＭＡＮＵＡＬ操作ボタン８２と、度設定入力操作部９１と、調律音位置設定入力操作部（ＮＯＴＥ）９４と、設定表示部９６と、ピッチ誤差表示部４と、スピーカ１５ｂと、スタートボタン１１と、マイクロホン１ａとが配置されている。図８で示したものと異なる操作部を説明する。
【０１１９】
調設定入力操作部１０１と長短設定入力操作部１０２とは、図９で示した調・長短設定入力操作部９３に相当する。
【０１２０】
調設定入力操作部１０１には、右シフトボタン１１１と左シフトボタン１１２とが設けられている。右シフトボタン１１１と左シフトボタン１１２を操作すると、設定表示部９６の調表示欄に、「Ａ〜Ｇ」の音階名が順次インクリメントまたはディクリメントして表示されるようになっている。図示例では、音階音名「Ｃ」が表示されている。
【０１２１】
長短設定入力操作部１０２には、ｍｏｌｌ（短調）設定ボタン１２１とＤＵＲ（長調）設定ボタン１２２とが設けられ、操作したボタンの内容が設定表示部９６の長短表示欄に表示される。図示例では、「ＤＵＲ」が表示されている。
【０１２２】
和音入力操作部９２には、例えば七の和音設定ボタン１３１と三和音設定ボタン１３２とが設けられている。図示例では、七の和音設定ボタン１３１が操作されたので、設定表示部９６の和音表示欄に「７」が表示されている。
【０１２３】
三和音は、３度音程の３つの音を積み重ねた和音である。七の和音は、三和音の第５音の上にさらに３度上の音を積み重ねた和音である。ここでは、説明の便宜から２種類の和音を指定する場合を示した。
【０１２４】
度設定入力操作部９１には、右シフトボタン１４１と左シフトボタン１４２とが設けられている。度は、ローマ数字の「Ｉ、II、III、IV、Ｖ、VI、VII」を用いて表現される。右シフトボタン１４１と左シフトボタン１４２を操作すると、設定表示部９６の度表示欄に「Ｉ〜VII」の度が順次インクリメントまたはディクリメントして表示されるようになっている。図示例では、「IV」が表示されている。
【０１２５】
ＮＯＴＥ９４では、操作摘みに矢印マークが表示され、その外周の操作パネル面上に、１（根音）、３（第３音）、５（第５音）、７（第７音）が表示されている。これらを操作摘みの矢印マークで指定することにより、調律音の位置を指定入力できるようになっている。指定した調律音位置は、設定表示部９６のＮＯＴＥ表示欄に表示される。図示例では、「３」が表示されている。
【０１２６】
即ち、設定表示部９６には、ハ長調の音階上、IV度の位置における七の和音において、第３音（Ａ；ラ）が調律する入力楽音であり、その他の根音（Ｆ；ファ）、第５音（Ｃ；ド）及び第７音（Ｅ；ミ）の３つの楽音による和音がスピーカ１５ｂから出力されることが示されている。
【０１２７】
次に、調律操作手順の一例及び動作を、オート操作にて、ハ長調のＩ度にある七の和音における第３音（Ｅ）を純正調音律で調律する場合を例に挙げて説明する。
【０１２８】
操作の順序は任意であるが、オート操作であるので、マニュアル操作で必要な「度」の設定を除いた全ての項目を設定する。例えば、ＡＵＴＯ操作ボタン８１を押して点灯させ、オート操作であることを指定する。次に、ＮＯＴＥ９４の操作摘みを回転させ矢印マークで「３」を選択し、和音の第３音を調律することを指定する。次いで、調設定入力操作部１０１の右シフトボタン１１１または左シフトボタン１１２を操作して設定表示部９６の調表示欄に「Ｃ」を表示させる。
【０１２９】
次に、長短設定入力操作部１０２のＤＵＲ設定ボタン１２２を押して設定表示部９６の長短表示欄に「ＤＵＲ」を表示させる。次いで、和音設定入力操作部９２の七の和音設定ボタン１３１を押して設定表示部９６の和音表示欄に「７」を表示させる。また、音律指定入力操作部７２のアップ操作ボタン８３またはダウン操作ボタン８４を操作して「ＰＵＲＥ」のチェックランプを点灯させる。
【０１３０】
設定表示部９６に点滅灯表示されている「Ｃ」「ＤＵＲ」「７」「３」の設定内容を確認して、スタートボタン１１を操作すると、それらが点灯表示され、設定内容が音階音決定部９７に取り込まれる。指定は「ＡＵＴＯ」であるので、音階音決定部９７は、設定表示部９６の度表示欄から「度」が保持出力されるのを待機する。
【０１３１】
調律者が、スタートボタン１１の操作後に「Ｅ」の楽音を入力すると、入力音階音名・度判別部９５にて度「Ｉ」が判別される。設定表示部９６の度表示欄に「Ｉ」が点灯表示され、音階音決定部９７に対し度「Ｉ」が保持出力される。
【０１３２】
そこで、音階音決定部９７では、取り込んだ「Ｃ」「ＤＵＲ」「Ｉ」「７」の情報から、ハ長調音階上、Ｉ度における七の和音の構成音「Ｃ（ド）、Ｅ（ミ）、Ｇ（ソ）、Ｂ（シ）」を決定し、それらを調律音位置「３」とともに楽音ピッチ演算決定部９８に出力する。
【０１３３】
同時に、音階音決定部９７は、決定した七の和音の構成音のうち第３音を除いた「Ｃ（ド）、Ｇ（ソ）、Ｂ（シ）」を標準楽音の音階音名として標準楽音信号発生部１４に出力する。
【０１３４】
楽音ピッチ演算決定部９８では、音律指定入力操作部７２からの指定音律は、純正調音律（ＰＵＲＥ）であるので、まず和音の根音「Ｃ」を平均律で決定する。次に、第３音「Ｅ」、第５音「Ｇ」、第７音「Ｂ」のピッチを、Ｃから全て純正調音律により、長３度は＋３８６セント、完全５度は＋７０２セント、長７度は＋１０８８セント以上の値を加算してそれぞれ決定する。
【０１３５】
その後、第３音「Ｅ」のピッチを基準ピッチとしてピッチ誤差計算部３に送出し、第３音「Ｅ」以外の音階音「Ｃ、Ｇ、Ｂ」それぞれのピッチを標準楽音ピッチとして標準楽音信号発生部１４に出力する。
【０１３６】
その結果、スピーカ１５から「Ｃ、Ｇ、Ｂ」からなる和音が出力され、入力した第３音「Ｅ」のピッチ誤差がピッチ誤差表示部４に表示される。調律者が、再度、第３音「Ｅ」の楽音を入力すると、同様の動作が行われる。
【０１３７】
マニュアル操作で調律を行う場合には、度の設定を含めた全ての設定を行ってスタートボタン１１を操作する。すると、スピーカ１５から「Ｃ、Ｇ、Ｂ」からなる和音が出力される。調律者は、「Ｃ、Ｇ、Ｂ」からなる和音の響きを聴きながら調律楽音「Ｅ」を入力すると、ピッチ誤差が表示される。この動作は、スタートボタン１１を操作するたび行われる。
【０１３８】
このように、本実施の形態３によれば、調律者は、全ての和音構成音による和音の響きを聴き、その和音が奏されるときのピッチ誤差を確認しながら調律楽音「Ｅ」のピッチを正しい和音の響きが得られるように調律することができる。
【０１３９】
ここで、楽音ピッチ演算決定部９８では、音律の指定が、純正調音律以外のピタゴラス音律やミーントーン音律などの古典音律である場合には、音階音名「Ａ」を基準として１２の音階音全てのピッチが固定されているので、その音律のテーブルデータをそのまま用いて和音構成音のピッチを決定するようになっている。
【０１４０】
なお、音律指定入力操作部７２を設けない場合には、楽音ピッチ演算決定部９８は、純正調音律により和音構成音のピッチを決定することになる。
【０１４１】
即ち、楽音ピッチ演算決定部９８は、音階音決定部９７が決定した各音の音階音のうち根音のピッチを平均律で決定し、その他の音階音のピッチを純正調音律で決定し、そのうち指定された調律音位置の音階音のピッチを基準ピッチとし、その他の音階音のピッチを標準楽音ピッチとしてそれぞれ出力するように構成される。
【０１４２】
また、上記の各実施の形態では、オート／マニュアルの切換操作が行えるようにしたが、オート操作のみの調律器、マニュアル操作のみの調律器とすることもの当然可能である。
【０１４３】
【発明の効果】
以上説明したように、本発明によれば、和音を聴きながらその和音構成音のピッチを正しい響きが得られるように調律することができる。
【図面の簡単な説明】
【図１】本発明の実施の形態１による調律器の構成ブロック図である。
【図２】本発明の各実施の形態で用いる標準楽音信号発生部の構成例（その１）を示す図である。
【図３】本発明の各実施の形態で用いる標準楽音信号発生部の構成例（その２）を示す図である。
【図４】本発明の各実施の形態で用いる標準楽音信号発生部の構成例（その３）を示す図である。
【図５】本発明の実施の形態１による調律器が備える操作パネルの正面図である。
【図６】図５に示す操作パネルの表示態様の他の一例を示す図である。
【図７】本発明の実施の形態２による調律器の構成ブロック図である。
【図８】本発明の実施の形態２による調律器が備える操作パネルの正面図である。
【図９】本発明の実施の形態３による調律器の構成ブロック図である。
【図１０】本発明の実施の形態３による調律器が備える操作パネルの正面図である。
【図１１】従来の調律器の構成例である。
【図１２】従来の調律器における表示部の構成例である。
【符号の説明】
１  集音部
１ａ  マイクロホン
２  周波数測定部
３  ピッチ誤差計算部
４  ピッチ誤差表示部
５、８  オート／マニュアルの切換スイッチ
６  入力音階音名判別部
７、７５  入力音階音名表示部
９、７４  音階音名入力操作部
１０  インターバル入力操作部
１１  スタートボタン
１２  標準楽音決定部
１３、７３、９８  楽音ピッチ演算決定部
１４、１４ａ、１４ｂ、１４ｃ  標準楽音信号発生部
１５  標準楽音出力部
１５ｂ  スピーカ
７１  平均律指定入力操作部
７２  音律指定入力操作部
９１  度入力操作部
９２  和音入力操作部
９３  調・長短入力操作部
９４  調律音位置入力操作部
９５  入力音階音名・度判別部
９６  設定表示部
９７  音階音決定部
【図１】
0004637341.tif 000002
【図２】
0004637341.tif 000003
【図３】
0004637341.tif 000004
【図４】
0004637341.tif 000005
【図５】
0004637341.tif 000006
【図６】
0004637341.tif 000007
【図７】
0004637341.tif 000008
【図８】
0004637341.tif 000009
【図９】
0004637341.tif 000010
【図１０】
0004637341.tif 000011
【図１１】
0004637341.tif 000012
【図１２】
0004637341.tif 000013